(57)【要約】【課題】      実釣時の釣糸が緩んだ状態においても、釣糸の糸落ちをより確実に防止出来る魚釣用スピニングリ−ルを提供することである。【解決手段】  スプ−ル５の外側は、リング状前側鍔部３１の保持部５ａと釣糸巻回胴部５ｂと円筒部５ｃを備えた後側鍔部５ｄとからなり、後側鍔部５ｄの外周後方側にスプ−ル軸１８後方に向けて漸次小径となるテ−パ−部５ｅと、テ−パ−部５ｅより後方に周溝５ｆと、周溝５ｆから後方に径方向外方に向けて立ち上がる立ち上がり部５ｇと、立ち上がり部５ｇの後方にスプ−ル軸１８後方に向けて漸次大径となる第２のテ−パ−部５ｈと、第２のテ−パ−部５ｈの後方に後方に向けて傾斜面５ｉを持つ段部５ｊと、段部５ｊの後方にスプ−ル軸１８後方に向けて漸次小径となる第３のテ−パ−部５ｋが形成されている。【選択図】        図３
2008118918.tif 000002
【特許請求の範囲】
【請求項１】
前側鍔部と、釣糸巻回胴部と、円筒部を備えた後側鍔部とからなるスプ−ルをスプ−ル軸に装着した魚釣用スピニングリ−ルにおいて、前記スプ−ルにおける後側鍔部の外周後方側にスプ−ル軸後方に向けて漸次小径となるテ−パ−部を形成し、該テ−パ−部の後方に周溝と、該周溝から後方に径方向外方に向けて立ち上がる立ち上がり部と、該立ち上がり部の後方にスプ−ル軸後方に向けて漸次大径となる第２のテ−パ−部とを形成したことを特徴とする魚釣用スピニングリ−ル。
【発明の詳細な説明】
【技術分野】
【０００１】
本発明は、魚釣り操作中における糸落ち防止を図るべく、スプ−ルの後方円筒部の形状を改良した魚釣用スピニングリ−ルに関する。
【背景技術】
【０００２】
実釣時における糸ふけ等のトラブルが発生した際に、スプ−ルに巻回されている釣糸は、スプ−ル後方の円筒部とロ−タ円筒部との間に侵入してしまう糸落ち現象が発生する。
この糸落ち現象の防止を図るため、スプ−ルの後方円筒部の形状を改良したものが、特許文献１で知られている。
特許文献１の従来技術は、スプ−ルの後方の円筒部の後方に、後方に向けて漸次小径となるテ−パ−部と、このテ−パ−部の更に後方に第二の円筒部を形成し、スプ−ルの後部へ糸落ちしても第二の円筒部がロ−タへの糸落ちを防ぎ、テ−パ−部へ釣糸を案内して糸を前方へ容易に抜けるようにしたものである。
このように、円筒部の後方に、テ−パ−部と第二の円筒部のそれぞを形成することにより、従来に比べて糸落ち現象を抑制できるようになったが、実釣時の釣糸張力は一定せず、釣糸が緩んだ状態においては、この第二の円筒部の外周では糸落ち現象を確実に抑止出来ずに、ロ−タ内部に釣糸が侵入する問題がある。
特許文献１の公報の図面の中には、第二の円筒部の形状を、外方に向けて漸次大径となるテ−パ−形状にしたものが開示されているが、両テ−パ−の境に形成されるＶ字状凹部に釣糸が止まり難く、特に釣糸が緩んだ状態においては、糸落ち防止の確実性に欠ける等の問題がある。
又、ロ−タ円筒部との間に大きな隙間が生じて異物や釣糸が侵入し易いと共に端部がシャ−プエッジになり、危険でもある。
【特許文献１】特開２００４−３３１１６号公報
【発明の開示】
【発明が解決しようとする課題】
【０００３】
解決しようとする問題点は、実釣時の釣糸張力は一定せず、釣糸が緩んだ状態においては、第二の円筒部の外周では糸落ち現象を確実に抑止出来ずに、ロ−タ内部に釣糸が侵入する問題がある。
又、第二の円筒部の形状を、外方に向けて漸次大径となるテ−パ−形状にしたものが開示されているが、両テ−パ−の境に形成されるＶ字状凹部に釣糸が止まり難く、特に釣糸が緩んだ状態においては、糸落ち防止の確実性に欠ける等の問題がある。
【０００４】
本発明の目的は前記欠点に鑑み、実釣時の釣糸が緩んだ状態においても、釣糸の糸落ちをより確実に防止出来る魚釣用スピニングリ−ルを提供することである。
【課題を解決するための手段】
【０００５】
本発明の請求項１は、前側鍔部と、釣糸巻回胴部と、円筒部を備えた後側鍔部とからなるスプ−ルをスプ−ル軸に装着した魚釣用スピニングリ−ルにおいて、前記スプ−ルにおける後側鍔部の外周後方側にスプ−ル軸後方に向けて漸次小径となるテ−パ−部を形成し、該テ−パ−部の後方に周溝と、該周溝から後方に径方向外方に向けて立ち上がる立ち上がり部と、該立ち上がり部の後方にスプ−ル軸後方に向けて漸次大径となる第２のテ−パ−部とを形成したことを要旨とするものである。
【発明の効果】
【０００６】
本発明の請求項１によれば、実釣時の緩んだ釣糸に対しても、スプ−ルの円筒部の後方に形成した周溝と立ち上がり部とによって、釣糸の糸落ちを食い止めることができると共に、更に、第２のテ−パ−部との結合によって、スプ−ル円筒部からの糸落ちを確実に防止できる。
【発明を実施するための最良の形態】
【０００７】
スプ−ル５の外側は、リング状前側鍔部３１の保持部５ａと釣糸巻回胴部５ｂと円筒部５ｃを備えた後側鍔部５ｄとからなり、後側鍔部５ｄの外周後方側には、スプ−ル軸１８後方に向けて漸次小径となるテ−パ−部５ｅとテ−パ−部５ｅより後方に周溝５ｆと、周溝５ｆから後方に径方向外方に向けて立ち上がる立ち上がり部５ｇと、立ち上がり部５ｇの後方にスプ−ル軸１８後方に向けて漸次大径となる第２のテ−パ−部５ｈと、第２のテ−パ−部５ｈの後方に後方に向けて傾斜面５ｉを持つ段部５ｊと、段部５ｊの後方にスプ−ル軸１８後方に向けて漸次小径となる第３のテ−パ−部５ｋが形成されている。
リング状前側鍔部３１は保持部５ａの外側に嵌合されると共にナット３２で抜け止めされている。
前記後方に向けて漸次小径となるテ−パ−部５ｅの角度ａは２０°〜６０°が好ましい。
前記周溝５ｆの幅ｂは使用される釣糸の糸径を考慮すると、０．５〜５ｍｍが好ましい。
前記立ち上がり部５ｇの角度ｃは９０°〜１３５°に、又、前記後方に向けて漸次大径となる第２のテ−パ−部５ｈの角度ｄは２°〜１０°とするのが好ましい。
【実施例１】
【０００８】
以下、図示の一実施例によって本発明を説明すると、図１は魚釣用スピニングリ−ルの外観側面図、図２は魚釣用スピニングリ−ルの要部断面側面図、図３はスプ−ルの上半分の断面側面図とスプ−ルの一部拡大断面側面図である。
【０００９】
リ−ル本体１には後側の軸受１０とカラ−１１を介して前側の軸受１２で回転軸筒２が回転自在に軸承されると共に回転軸筒２の端部にはピニオン２ａが形成されている。
カラ−１１の前側の回転軸筒２の外周にロ−タ３の筒部３ａが回り止め嵌合されて回転軸筒２の先端に形成されたネジ部に螺合されたナット１３で固定されている。
軸受１２より後側のカラ−１１の外周にころがり式一方向回転規制機構Ａが設けられてリ−ル本体１の後側に突出された操作杆１４と操作ツマミ１５で操作される。
回転軸筒２のピニオン２ａに駆動歯車４が噛合され、駆動歯車４の回転軸４ａの中心多角形孔にハンドル１６が固定されたハンドル軸１７が左右交換自在に挿入嵌合されて取り付けられている。
回転軸筒２のピニオン２ａに駆動歯車４が噛合されてロ−タ３はハンドル１６の回転に連動して回転されるように支持されている。
回転軸筒２の中心孔にはスプ−ル軸１８が前後往復動可能に摺動自在に挿入され、スプ−ル軸１８の先端にスプ−ル５が取り付けられてスプ−ル軸１８とスプ−ル５はハンドル１６の回転でオシレ−ト機構Ｂを介して前後に往復動される。
【００１０】
ロ−タ３は筒部３ａで回転軸筒２に取り付けられ、筒部３ａと前壁３ｂと大径の筒部３ｃと大径の筒部３ｃの基部の外周から前方に向けて突出された一対の支持腕３ｄ、３ｅとで形成されて支持腕３ｄ、３ｅに凹部３ｆ、３ｇが形成されている。
凹部３ｇの後壁に隙間３ｈが形成され、反転部材１９が出没自在に設けられている。
凹部３ｆ、３ｇに軸部３ｉ、３ｊが形成されている。
一対のベ−ル支持腕３ｄ、３ｅの軸部３ｉ、３ｊに夫々一方のベ−ル支持部材６の透孔と他方のベ−ル支持部材６′の透孔が嵌合されて押え板２０、２１挾んで夫々ビス２２、２３で止められている。
一対のベ−ル支持腕３ｄ、３ｅの外側は夫々カバ−２４、２５で覆われてビス２６と図示しないビスで止められている。
一方のベ−ル支持部材６には釣糸案内ロ−ラ２７の取付部２８が取り付けられている。
他方のベ−ル支持部材６′と釣糸案内ロ−ラ２７の取付部２８の間にベ−ル２９が取り付けられている。
リ−ル本体１のリ−ル脚部１ａには一方のベ−ル支持部材６が放出状態にある時衝接される衝接部材３０が突出して設けられている。
【００１１】
スプ−ル５の外側はリング状前側鍔部３１の保持部５ａと釣糸巻回胴部５ｂと円筒部５ｃを備えた後側鍔部５ｄと、後側鍔部５ｄの外周後方側にスプ−ル軸１８後方に向けて漸次小径となるテ−パ−部５ｅと、テ−パ−部５ｅより後方に周溝５ｆと、周溝５ｆから後方に径方向外方に向けて立ち上がる立ち上がり部５ｇと、立ち上がり部５ｇの後方にスプ−ル軸１８後方に向けて漸次大径となる第２のテ−パ−部５ｈと、第２のテ−パ−部５ｈの後方に後方に向けて傾斜面５ｉを持つ段部５ｊと、段部５ｊの後方にスプ−ル軸１８後方に向けて漸次小径となる第３のテ−パ−部５ｋが形成されている。
リング状前側鍔部３１は保持部５ａの外側に嵌合されると共にナット３２で抜け止めされている。
【００１２】
前記後方に向けて漸次小径となるテ−パ−部５ｅの角度ａは２０°〜６０°が好ましい。
前記周溝５ｆの幅ｂは使用される釣糸の糸径を考慮して、０．５〜５ｍｍが好ましい。
前記立ち上がり部５ｇの角度ｃは９０°〜１３５°が好ましい。
前記後方に向けて漸次大径となる第２のテ−パ−部５ｈの角度ｄは２°〜１０°に、又、前記後方に向けて漸次小径となる第３のテ−パ−部５ｋの角度ｅは１０°〜４５°とするのが好ましい。
【００１３】
前記のようにスプ−ル５のテ−パ−部５ｅの角度ａと周溝５ｆの幅ｂが設定されると、釣糸３３が緩んだ糸ふけ状態で釣糸３３が円筒部５ｃを越えると、釣糸３３はスプ−ル軸１８後方に向けて漸次小径となるテ−パ−部５ｅで周溝５ｆに落ち込むことがあっても、テ−パ−部５ｅの角度ａで釣糸３３に前方向の力が加わるとテ−パ−部５ｅと円筒部５ｃを通って釣糸巻回胴部５ｂに戻される。
周溝５ｆは、円筒部５ｃや第２のテ−パ−部５ｈの外周面より比較的深く、糸径より幅が広い周溝で形成され、そして後壁の立ち上がり部５ｇによって、糸が止まり易く、スプ−ル５の後端方向に糸落ちし難い。
仮に周溝５ｆに落ち込んだ釣糸３３に更に緩んだ糸ふけ状態が発生して後方に向けて漸次大径となる第２のテ−パ−部５ｈの上に載ることがあっても、傾斜面５ｉを有する段部５ｊで後方への糸落ちが防止されると共に、釣糸３３に前方向の力が加わると第２のテ−パ−部５ｈの前向きの角度ｄで釣糸３３は前方向に引き戻されて周溝５ｆに落ち込んだり、テ−パ−部５ｅと円筒部５ｃを通って釣糸巻回胴部５ｂに戻される。
釣糸３３が緩んだ糸ふけ状態が発生しても前後に、テ−パ−部５ｅの角度ａと立ち上がり部５ｇの角度ｃと第２のテ−パ−部５ｈの前向きの角度ｄを有する周溝５ｆを設けることで、釣糸３３がスプ−ル５の後端を越えてロ−タ４側に侵入することが抑制される。
【００１４】
前記のように魚釣用スピニングリ−ルが構成されると、実釣時の緩んだ釣糸に対しても、スプ−ル５の円筒部５ｃの後方に形成した周溝５ｆと立ち上がり部５ｇとによって、釣糸の糸落ちを食い止めることができると共に、更に、第２のテ−パ−部５ｈとの結合によって、スプ−ル円筒部５ｃからの糸落ちを確実に防止できる。
【産業上の利用可能性】
【００１５】
本発明は、前述した実施形態に限定されることなく、その要旨を逸脱しない範囲で種々変形実施できることは言うまでもない。
【図面の簡単な説明】
【００１６】
【図１】魚釣用スピニングリ−ルの外観側面図である。
【図２】魚釣用スピニングリ−ルの要部断面側面図である。
【図３】スプ−ルの上半分の断面側面図とスプ−ルの一部拡大断面側面図である。
【符号の説明】
【００１７】
５  スプ−ル
５ａ  前側鍔部３１の保持部
５ｂ  釣糸巻回胴部
５ｃ  円筒部
５ｄ  後側鍔部
５ｅ  後方に向けて漸次小径となるテ−パ−部
５ｆ  周溝
５ｇ  立ち上がり部
５ｈ  後方に向けて漸次大径となる第２のテ−パ−部
１８  スプ−ル軸
【図１】
2008118918.tif 000003
【図２】
2008118918.tif 000004
【図３】
2008118918.tif 000005